(57)【要約】      （修正有）【課題】着用者の魅力を低減させない模様を、ジーンズ、または、他の衣服上に形成するために、人体模様に基づく濃淡を形成した衣服を提供する。【解決手段】衣服の基材と、理想的な体形比率の印象を観察者に与えるように、理想的な体形比率を有する身体の外形を模倣した、基材上に形成された模様とを備える衣服で、衣服がパンツ、ジーンズであり、模様が、基材の表面に広がる明るさ勾配を形成し、明るさ勾配が、理想的な体形比率を有する身体の高い部分に関連付けられた相対的に明るいスポットと、理想的な体形比率を有する身体の低い部分に関連付けられた相対的に暗いスポットとを備える、の衣服。【選択図】図５
2019108652.tif 000002
【特許請求の範囲】
【請求項１】
衣服の基材と、
理想的な体形比率の印象を観察者に与えるように、前記理想的な体形比率を有する身体の外形を模倣した、前記基材上に形成された模様と
を備える、衣服。
【請求項２】
前記衣服がパンツである、請求項１に記載の衣服。
【請求項３】
前記衣服がジーンズである、請求項１に記載の衣服。
【請求項４】
前記模様が、前記基材の表面に広がる明るさ勾配を形成する、請求項１に記載の衣服。
【請求項５】
前記明るさ勾配が、前記理想的な体形比率を有する身体の高い部分に関連付けられた相対的に明るいスポットと、前記理想的な体形比率を有する身体の低い部分に関連付けられた相対的に暗いスポットとを備える、請求項４に記載の衣服。
【請求項６】
前記衣服がパンツであり、前記明るさ勾配が前記理想的な体形比率を有する身体の臀部の中央区域に関連付けられた相対的に明るいスポットを備える、請求項４に記載の衣服。
【請求項７】
前記明るさ勾配が、前記理想的な体形比率を有する身体の臀部下溝に関連付けられた相対的に暗いスポットをさらに備える、請求項６に記載の衣服。
【請求項８】
前記明るさ勾配が、前記理想的な体形比率を有する身体のＶ字形のしわに関連付けられた相対的に暗いスポットをさらに備える、請求項７に記載の衣服。
【請求項９】
真正面にいる観察者に正対する前記衣服上の地点では、前記明るさ勾配が相対的に明るいスポットを有する、請求項４に記載の衣服。
【請求項１０】
前記正対方向から離れる角度が大きくなるにつれて、前記明るさ勾配の明るさが小さくなる、請求項９に記載の衣服。
【請求項１１】
前記正対方向から離れる角度が大きくなるにつれて、前記明るさ勾配の前記明るさが余弦関数として小さくなる、請求項１０に記載の衣服。
【請求項１２】
臀部区域を有するデニムの基材と、
理想的な体形比率の印象を観察者に与えるように前記理想的な体形比率を有する臀部の外形を模倣し、前記臀部区域上に形成された模様であって、前記基材の表面に広がる明るさ勾配を形成し、前記勾配が、前記理想的な体形比率を有する臀部の中央区域に関連付けられた相対的に明るいスポットと、前記理想的な体形比率を有する臀部の臀部下溝に関連付けられた相対的に暗いスポットとを備える、模様と
を備える、ジーンズ。
【請求項１３】
前記明るさ勾配が、前記理想的な体形比率を有する臀部のＶ字形のしわに関連付けられた相対的に暗いスポットをさらに備える、請求項１２に記載のジーンズ。
【請求項１４】
理想的な体形比率を有する身体の要素の外形を模倣する明るさ勾配を作成するステップと、
前記理想的な体形比率の印象を観察者に与える前記勾配に基づき、衣服上に模様を形成するステップとを含む、人体模型に基づく濃淡を衣服上に施すための方法。
【請求項１５】
前記明るさ勾配を作成するステップが、３次元明るさ勾配を作成するステップを含む、請求項１４に記載の方法。
【請求項１６】
前記３次元明るさ勾配を作成するステップが、理想的な体形比率を有する３次元アバターを作成するステップを含む、請求項１５に記載の方法。
【請求項１７】
前記３次元明るさ勾配を作成するステップが、前記３次元アバターに照明を当て、前記アバターの外形を強調する陰影を前記アバター上に形成するステップをさらに含む、請求項１６に記載の方法。
【請求項１８】
前記模様を形成するステップが、前記３次元明るさ勾配から２次元テンプレートを生成するステップと、前記テンプレートを使用して前記模様を形成するステップとを含む、請求項１７に記載の方法。
【請求項１９】
前記模様を形成するステップが、ジーンズ上に前記模様を形成するステップを含む、請求項１４に記載の方法。
【請求項２０】
前記ジーンズ上に模様を形成するステップが、レーザー加工により前記模様を形成するステップを含む、請求項１９に記載の方法。
【発明の詳細な説明】
【関連出願】
【０００１】
関連出願の相互参照
本出願は、２０１３年１０月１８日に出願された、同時係属中の米国仮出願第６１／８９２，７４９号の優先権を主張し、米国特許出願第１４／５１７，３３９号の優先権および利益を主張し、それらは、参照により本明細書に全体的に組み込まれる。
【背景技術】
【０００２】
衣類製造者が、摩耗したような模様、または、別のファッション的な表現をもたらす模様をジーンズ上に形成することは一般的である。そのような模様は、「フィニッシュ加工（ｆｉｎｉｓｈｅｓ）」と呼ばれることが多く、典型的には、ジーンズの材料を手作業で摩耗させることにより、または、材料の外表面から染料を取り除く特別なレーザーを使用することにより形成される。これらのフィニッシュ加工は、ジーンズ上に明るさ（ｂｒｉｇｈｔｎｅｓｓ）勾配を形成する。具体的に言うと、加工された領域は、加工されていない領域よりも色が明るくなる。
【０００３】
人の視覚系は、ジーンズ上に形成された明るさ勾配などを、３次元形態として自動的に解釈する。勾配が人の形態と関連付けられている場合、人間は、３次元形態に対して自動的に魅力を特定する。したがって、ある特定のフィニッシュ加工を有するジーンズが、個人に着用される場合、他人は、フィニッシュ加工の性質に部分的に基づき、個人の下半身の魅力に関する決定を自動的に行う。
【発明の概要】
【発明が解決しようとする課題】
【０００４】
既存のフィニッシュ加工に伴う問題は、それらが、実際には、個人の形態を他人があまり魅力を感じないものにしてしまう場合があるということであり、そのような結果は、衣服を着用している個人は明らかに望んでいない。したがって、着用者の魅力を低減させない模様を、ジーンズ、または、他の衣服上に形成することが望ましい。さらには、着用者を身体的により魅力的にする模様を、衣服上に形成することが望ましい。
【０００５】
本特許または本出願の出願書類には、着色された少なくとも１つの図面が含まれる。着色された図面を伴う本特許または特許出願の公開物の複写物は、請求および必要な費用の支払いにより当局によって提供される。
【０００６】
本開示は、以下の図面を参照することにより、より理解され得る。同一の参照符号は、図面を通して対応する構成要素を示しており、図面は必ずしも正確な縮尺率で描かれてはいない。
【図面の簡単な説明】
【０００７】
【図１】理想的な女性の臀部および大腿を側面から見た概略図である。
【図２】女性の臀部および大腿の理想的な特徴を背面から見た写真である。
【図３】理想的な２号サイズのアバターの、４分の３方向、側面、および背面の描画である。
【図４】理想的な６号、１０号、および１４号サイズのアバターの、背面の描画である。
【図５】理想的なアバターから生成されたテンプレートを使用し、ジーンズへ模様を施す工程の概略図である。
【図６】真正面にいる観察者の視点に関連し、模様の明るさがどのように変化するかを示す概略的な線画である。
【図７】１４号、１０号、６号、および２号サイズの理想的なアバターの背面図に対する制御点Ｃ（ｘ，ｙ，ｚ）の組のグラフィック表現である。
【図８】１４号、１０号、６号、および２号サイズの理想的なアバターの４分の３部分の図に対する制御点Ｃ（ｘ，ｙ，ｚ）の組のグラフィック表現である。
【図９】１４号、１０号、６号、および２号サイズの理想的なアバターの側面図に対する制御点Ｃ（ｘ，ｙ，ｚ）の組のグラフィック表現である。
【図１０】ジーンズ上に形成された人体模型に基づく模様を評価する実験時に、被験者に提供された指示である。
【図１１】図１０に記載された実験の結果のグラフである。
【図１２】２号サイズのジーンズに対する、最適な人体模型に基づく濃淡を付けたフィニッシュ加工の描画である。
【図１３】６号サイズのジーンズに対する、最適な人体模型に基づく濃淡を付けたフィニッシュ加工の描画である。
【図１４】１０号サイズのジーンズに対する、最適な人体模型に基づく濃淡を付けたフィニッシュ加工の描画である。
【図１５】１４号サイズのジーンズに対する、最適な人体模型に基づく濃淡を付けたフィニッシュ加工の描画である。
【図１６】標準的なフィニッシュ加工に対する、人体模型に基づく濃淡を付けたフィニッシュ加工への選好を示すグラフである。
【図１７】レーザー加工によって人体模型に基づき濃淡付けされた、６号サイズの女性用ジーンズの背面のデジタル写真である。同じジーンズが３度描写されており、すなわち、１番目は色付けされ、２番目はグレースケールで、３番目は参照文字付きのグレースケールで描写される。
【図１８】レーザー加工によって人体模型に基づき濃淡付けされた、１４号サイズの女性用ジーンズの背面のデジタル写真である。同じジーンズが３度描写されており、すなわち、１番目は色付けされ、２番目はグレースケールで、３番目は参照文字付きのグレースケールで描写される。
【発明を実施するための形態】
【０００８】
上述のように、着用者の魅力を低減させず、より好ましくは、着用者の身体的な魅力を向上させる模様を衣服上に形成することが望ましい。これらの目的を達成するためのシステムおよび方法、ならびに、このシステムおよび方法を用いて得られる衣服が、本明細書に開示される。概して、衣服は、理想的な体形比率を有する身体（ｉｄｅａｌｌｙ  ｐｒｏｐｏｒｔｉｏｎｅｄ  ｂｏｄｙ）の外形を模倣した、衣服の表面にわたる明るさ勾配を形成する模様を含む。明るさ勾配は人の形態の理想的な体形比率に基づき、脳は勾配を３次元形状として解釈するため、勾配は最も魅力的な形態の３次元解釈を生成させ、それにより衣服の着用者の魅力を向上させる。いくつかの実施形態では、複数の衣服のサイズごとに、理想的に魅力的な人の形態の３次元モデルを生成し、明るさ勾配を作成するようにモデルに照明を当てる（ｉｌｌｕｍｉｎａｔｉｎｇ）ことにより明るさ勾配が作成され、この明るさ勾配は模様を衣服上に形成するために使用できる２次元テンプレートを生成するために用いられ得る。模様が理想的な体形比率を有する身体の人体模型に基づくため、模様は、「人体模型に基づく濃淡（ａｎａｔｏｍｙ  ｓｈａｄｉｎｇ）」と呼ばれ得る。
【０００９】
以下の開示において、様々な特定の実施形態が説明される。これらの実施形態は、開示される発明の例示的な実施例であり、代替的な実施形態も可能であることを理解されたい。全てのそのような実施形態は、本開示の範囲に包含されることが意図される。
【００１０】
明るさ勾配は、人の視覚系により自動的に３次元形状で解釈されるということが、視覚科学の分野から知られている。したがって、ジーンズのフィニッシュ加工などの衣服上の明るさ勾配模様は、視覚系が自動的に３次元形状の生成を行うように誘発する。人の視覚は、さらに、人の形状の魅力について自動的に評価する。個人が人物に出会う度に、個人の脳は、その人物の健康状態、および生殖適応度に関連する複数の知覚的手がかり（ｓｅｎｓｏｒｙ  ｃｕｅｓ）を１秒の何分の１かのうちに自動的に評価するということが、進化心理学の分野から知られている。魅力についての個人の最初の判断は、その評価の要約であり、より健康的、かつ、より生殖適応度が高く見える人物が、その個人に対して大いに魅力的であると感じられる。したがって、人物の身体の３次元形状は、人物の魅力を査定するために用いられる、重要な知覚的手がかりである。
【００１１】
これらの見識から、衣類の模様は、人の視覚系および脳の自然な作用に便乗するために利用され得るということが確定されている。特に、明るさ勾配模様は衣服上に施され、視覚系を錯覚させて、魅力的な３次元形状を描かせることができる。衣服着用者の知覚される魅力を向上させるために使用され得る衣服の模様が、以下に説明される。より詳細には、着用者の臀部および上腿の魅力を向上させる、女性用ジーンズの臀部のためのジーンズの「フィニッシュ加工」が以下に説明される。この特定の応用事例が詳細に論ぜられるが、実質的にいかなる身体要素（ｂｏｄｙ  ｐａｒｔ）用の模様、および、実質的にいかなる衣服用の模様を生成するのにも、同じ原理が適用され得ることに留意されたい。
【００１２】
形成外科分野の文献は、とても魅力的だとみなされる女性の臀部、および、上腿の３次元形状の複数の特性を特定してきた。図１は、魅力を判断するために使用され得る様々な距離を特定した、女性の臀部および大腿を側面から見た概略図である。この図では、点Ａが、大転子の場所を特定し、点Ｂが、陰部の最大突出点を特定し、点Ｃが、臀部の最大突出点を特定し、点Ｄが、上前腸骨棘の場所を特定する。
【００１３】
図２は、理想的な体形比率を有する女性の臀部および大腿を背面から見た写真であり、魅力に影響を及ぼす様々な領域を特定する。領域１は、大殿筋の側方境界、大腿方形筋、ならびに、中殿筋および外側広筋の大転子への付着点（ｉｎｓｅｒｔｉｏｎｓ）により形成された側方の陥凹部（以降「側方の臀部陥凹部」）である。領域２は、坐骨結節、半腱様筋および大腿二頭筋の長筋腹（ｌｏｎｇ  ｂｅｌｌｙ）の付着点、ならびに、大殿筋の下方境界により生成された臀部下溝（ｉｎｆｒａｇｌｕｔｅａｌ  ｆｏｌｄ）（以降「臀部下溝」）である。領域３は、上後腸骨棘の上方に位置し、多裂筋、腰背腱膜、および、大殿筋の付着点により生成される臀部上小窩（ｓｕｐｒａｇｌｕｔｅａｌ  ｆｏｓｓｅｔｔｅ）（以降「臀部上小窩」）である。領域４は、臀部のしわの近位部に生じるＶ字形のしわ（以降「Ｖ字形のしわ」）である。本開示に参照により組み込まれる、Ｃｕｅｎｃａ−ＧｕｅｒｒａとＱｕｅｚａｄａによる「Ｗｈａｔ  Ｍａｋｅｓ  Ｂｕｔｔｏｃｋｓ  Ｂｅａｕｔｉｆｕｌ？Ａ  Ｒｅｖｉｅｗ  ａｎｄ  Ｃｌａｓｓｉｆｉｃａｔｉｏｎ  ｏｆ  ｔｈｅ  Ｄｅｔｅｒｍｉｎａｎｔｓ  ｏｆ  Ｇｌｕｔｅａｌ  Ｂｅａｕｔｙ  ａｎｄ  ｔｈｅ  Ｓｕｒｇｉｃａｌ  Ｔｅｃｈｎｉｑｕｅｓ  ｔｏ  Ａｃｈｉｅｖｅ  Ｔｈｅｍ」（Ａｅｓｔｈｅｔｉｃ  Ｐｌａｓｔｉｃ  Ｓｕｒｇｅｒｙ、２００４年９月〜１０月、２８（５）：３４０−７．２００４）によれば、理想的に魅力的な臀部／大腿は、以下の基準を満たすものである。
【００１４】
１．点Ａと点Ｃ（図１）との間の距離は、点Ａと点Ｂとの間の距離の２倍がよい。
２．臀部下溝（図２の領域２）は、大腿の幅の３分の２を超えるべきではない。
３．下部脊椎（図１）は、垂直線から５〜７度外れているとよい。
４．Ｖ字形のしわ（図２の領域４）は、写真に示された程度のサイズがよい。
これらの基準のいくつか、または、全てに由来する形状の印象を観察者に与えるテンプレートが作成されることができれば、そのテンプレートを基にしたフィニッシュ加工を有するジーンズの着用者の魅力は向上され得る。
【００１５】
上述された種類のテンプレートは、種々の方法で作成され得る。いくつかの実施形態では、テンプレートは、理想的な人の形態の３次元コンピューターモデル、または、アバターに基づき生成され得る。より詳細には、各サイズに対するテンプレートを生成する目的で、複数の身体の（例えば、パンツの）サイズそれぞれに対し、理想的なアバターが生成され得る。図３は、Ｖ−Ｓｔｉｔｃｈｅｒと呼ばれるソフトウェアプログラムで生成された２号サイズのアバターの、４分の３方向から見た例、側面から見た例、および背面から見た例を示す。この図に示されたアバターは、上記で特定された基準１〜４のそれぞれを満たすように作成された。したがって、アバターは、身体的な魅力の点から、理想的な２号サイズのアバターとみなされ得る。図４は、６号、１０号、および１４号サイズ（左から右）に対する、背面から見たさらなるアバターを示す。ここでも、各アバターは、基準１〜４を満たしており、したがって、各アバターは、特定のサイズに対する理想的なアバターである。
【００１６】
図３および４に示されるように、各アバターは、アバターの形状の外形を明らかにする陰影をアバター上に付けるために、仮想的に照明が当てられている。いくつかの実施形態では、照明は、自然光を模倣し、同時に、アバターの外形を最も明らかにする理想的な照明である。したがって、この光は、アバターの外形を強調する、各アバターの表面にわたる３次元明るさ勾配を生成する。
【００１７】
いったんこれらの明るさ勾配が作成されると、それらは、衣服に施され得る模様のテンプレートを生成するために使用され得る。この工程は、図５に概略的に示される。図５の左側の区画の画像は、模様を施す前の、１０号サイズのジーンズのシミュレーションを示す。ここで、ジーンズは、均一な青色を有し、本体上に最小限の明るさ勾配を示す。図の右側の区画の画像は、中央の区画に示された２次元テンプレートを基にした模様の適用後のジーンズのシミュレーションを示す。この例では、テンプレートは、３次元の理想的な６号サイズのアバターの２次元スナップショットを、背面の視点から撮像することにより生成される（図４の左側の画像参照）。模様は、種々の方法でジーンズ上に形成され得る。いくつかの実施形態では、模様は、相対的に色の明るい領域を生成するために、衣服（デニム）の基材を手作業で、または、自動的に摩耗させることにより形成され得る。他の実施形態では、相対的に色の明るい領域は、レーザー加工により形成され得る。
【００１８】
図５の右側の区画の画像から認識可能なように、ジーンズは、理想的な身体の３次元形状を模倣するために、テンプレート内の最も明るい領域において、色が明るくされている。それゆえに、ジーンズは、理想的な体形比率を有する３次元の身体上に当たる光を真似た「人体模型に基づく濃淡」を有する。模様／濃淡は、視覚系を錯覚させ、理想的な３次元形状を見せる明るさ勾配を形成する。明るさ勾配は、理想的な身体形状に基づいた、理想的なアバターからの模倣であるため、勾配は、上述の理想的な臀部および大腿の基準の少なくとも一部を反映する。概して、明るさ勾配模様は、理想的な体形比率を有する臀部の外形の高い部分に関連付けられた相対的に明るいスポットと、理想的な体形比率を有する臀部の外形の低い部分に関連付けられた相対的に暗いスポットとを有する。図２と図５の比較から認識可能なように、明るさ勾配は、各臀部の中央区域に関連付けられた領域で、相対的に明るくなる。加えて、勾配は、理想的な体形比率を有する身体の臀部下溝（領域２）に関連付けられた領域、および、理想的な体形比率を有する身体の中間のＶ字形のしわ（領域４）に関連付けられた領域で、相対的に暗くなり、これらは、上記で特定された基準２および４に直接対応する。特に、これは、臀部下溝、および／または、中間のＶ字形のしわの領域において、色が明るくされることが多い従来のジーンズのフィニッシュ加工とは全く正反対である。
【００１９】
明るさ勾配は、観察者の観点からさらに説明され得る。それは図６に示されており、図６は、ジーンズ着用者の臀部１０、および、真正面にいる観察者の目１２を概略的に示す。この図では、面法線であるｎは、観察者の方に向いており、観察者は、単位ベクトルｖ＾の方向に沿って臀部１０を観察する。ジーンズ上の勾配の明るさは、正対する地点において最大であり、垂直から遠ざかる角度θが大きくなるにつれて小さくなる。より詳細には、勾配の明るさは、θの余弦関数であり、垂直方向（すなわち、θ＝０°）で最も大きく（すなわち、１）、鉛直方向（すなわち、θ＝９０°）で最も小さく（すなわち、０）なる。他に明記されない限り、模様の明るさは、ｎ・ｖ＾に比例する。
【００２０】
なお、図５で示された模様を形成するために、アバターの背面図のみが使用されたが、アバターの代替的な図（例えば、４分の３部分の図または側面図）が、テンプレートおよび模様を生成するために使用され得る。そのような場合、理想的に魅力的な臀部／大腿に関する他の基準が、十分考慮され得る。さらに、複合型の明るさ勾配テンプレートおよび模様を形成するために、２つ以上のアバターの図が組み合わされ得る。
【００２１】
明るさ勾配は、Ｃ（ｘ，ｙ，ｚ）＝（ｘ，ｙ，ｂ（ｘ，ｙ））の形の離散関数により与えられる、Ｒ３（３次元実数空間）における制御点Ｃ（ｘ，ｙ，ｚ）の組を用いて、さらに数学的に定義され得る。図７は、１４号、１０号、６号、および２号サイズ（左から右）の衣料品の背面図に対する明るさ勾配の基となる、４組の制御点のグラフィック表現を提供する。制御点は、数的に示されていないが、そのかわり、グラフィック表現内の個々の画素により表現される。これらのグラフィック表現では、関数ｂ（ｘ，ｙ）は、３次元空間における画素の明るさとして描写される。制御点の数値を得ることもできるが、これらの数値は、各グラフィック表現につき、例えば、８６０×２，４２３＝２，０８３，７８０個の数字の配列を含む。認識されるように、図は、グラフィック表現をデジタル化する周知の技術を用いて容易に決定され得る制御点の大きな配列を表現する。
【００２２】
制御点Ｃ（ｘ，ｙ，ｚ）＝（ｘ，ｙ，ｂ（ｘ，ｙ））が与えられると、対応する明るさ勾配は、∇ａ＝∇λＳ（ｂ（ｘ，ｙ））を満たす任意の連続関数Ａ（（ｘ，ｙ，ａ（ｘ，ｙ））の任意の離散化の任意のサブセットであり、ここで、Ｓは３次またはそれより大きい表面スプラインであり、λ∈Ｒ＋（非負の実数）はグローバルなスケール係数であり、∇＝（∂／∂ｘ，∂／∂ｙ）は勾配である。これらの数学的表現は、スプライン曲線などの多項式関数を用いて、制御点Ｃ（ｘ，ｙ，ｚ）のセットから明るさ勾配を得ることができるということを示す。例えば、明るさ勾配は、（１）制御点から表面スプラインを作成し、（２）表面スプラインをスケーリングし、（３）各制御点での傾斜を演算し、（４）各制御点での傾斜に一致する表面を挿入し、（５）この表面を離散化し、（６）平均０のガウスノイズ、および、全表面の標準偏差の１０％未満の標準偏差を各点に加え、（７）衣服上の場所に適切に対応する離散化された表面のサブセットを選択することにより得ることができる。ステップ（６）は、レーザーノイズ、および、衣服の生地の微細構造などの影響に起因する、人体模型に基づくフィニッシュ加工における小さいばらつきを許容する。
【００２３】
図８は、１４号、１０号、６号、および２号サイズ（左から右へ）用の衣料品の４分の３部分の図に明るさ勾配を提供する基として使用され得る、制御点セットのグラフィック表現を提供する。図９は、１４号、１０号、６号、および２号サイズ（左から右へ）用の衣料品の側面図に対する明るさ勾配の基として使用され得る、制御点セットのグラフィック表現を提供する。これらの例における全ての制御点は、グラフィック表現を作成するために使用された、８６０×２，４２３個の数字の配列として得ることができる。
【００２４】
明るさ勾配が生成された後は、人体模型に基づく濃淡として衣服に施されたときに勾配が有する大きさ、つまり勾配をどれほど際立たせるかを決定しなくてはならない。ジーンズ上に施されたときの明るさ勾配の最適な大きさを決定するために、心理物理学的実験が設計された。この実験で、参加者は、勾配が見える明るさを不可視から高可視まで自由に調整することができる。しかしながら、明るさ勾配（すなわち、相対的な明るさ）は固定されており、参加者は明るさ勾配を修正することはできない。参加者は、人の姿が最も魅力的に見えるまで、「濃淡」の量を調整するように指示された。図１０は、実験前に表示された指示の全体を示す。参加者は、背面、４分の３方向、および側面から観察したジーンズ上に調整を加えた。
【００２５】
この実験の結果は、図１１のグラフに示される。このグラフは、２号、６号、１０号、および１４号サイズのジーンズに対する、ならびに、各視点（背面、４分の３、側面）の方向に対する、明るさ勾配の最適な視認性を特定する。グラフのｘ軸は、ジーンズのサイズに対応し、ｙ軸は、平均濃淡値に対応し、これは、ウエストから膝まで広がる、人体模型に基づく濃淡区域のコントラスト全体の度合いである。したがって、平均濃淡値は、人体模型に基づく濃淡がどれぐらい人目を引くかについての指標を提供する。値「０」は、コントラスがない状態（すなわち、その区域は完全に暗い）に対応し、値「１００」は、背景のジーンズとのコントラストが最大である状態（すなわち、その区域は完全に白い）に対応する。図１１から認識可能なように、明るさ勾配の最適な大きさは、サイズ間、および、視点によって変化する。しかしながら、１つの一般的な傾向として、サイズが小さいほど、視認性の高い明るさ勾配から恩恵を受け、サイズが大きいほど、視認性の低い明るさ勾配から恩恵を受ける。例えば、２号サイズのジーンズに対する理想的な平均濃淡値は約１４であり、１４号サイズのジーンズに対する理想的な平均濃淡値は約８である。２号、６号、１０号、および１４号サイズに対する、実験を通して決定された最適な人体模型に基づく濃淡が、図１２〜図１５にそれぞれ示される。これらの図から認識可能なように、ジーンズそれぞれの上に施された人体模型に基づく濃淡は、大きさに関係なく、図５の右側の区画の画像に示された濃淡に類似する。したがって、いずれの場合にも、臀部の高い部分は、相対的に色が明るく、臀部下溝およびＶ字形のしわの領域は、相対的に暗い。
【００２６】
代替的および非限定的な実施形態として、本発明による人体模型に基づき濃淡付けされたパンツ（ジーンズを含むが、それに限定するものではない）は、理想的な体形比率を有する身体の（ａ）各臀部の中央区域に関連付けられた相対的に明るいスポット、（ｂ）臀部下溝に関連付けられた相対的に暗いスポット、（ｃ）上裏腿に関連付けられた相対的に明るいスポットを、単独で、または、任意に組み合わせて備えることができる。相対的に明るい、および、暗いスポットの場所およびサイズは、パンツまたはジーンズのサイズに応じて変化することが理解されるであろう。
【００２７】
いくつかの実施形態では、各臀部の中央区域に関連付けられた相対的に明るいスポットは、股上１１．４３〜１９．０５ｃｍ（４．５〜７．５インチ）のところに概して垂直方向に位置し、中央の縫い目から３．８１〜１１．４３ｃｍ（１．５〜４．５インチ）のところに概して水平方向に位置する、代替的には、股上１２．７〜１７．７８ｃｍ（５〜７インチ）のところに垂直方向に位置し、中央の縫い目から５．０８〜１０．１６ｃｍ（２〜４インチ）のところに水平方向に位置する、代替的には、股上１３．９７〜１７．７８ｃｍ（５．５〜７インチ）のところに垂直方向に位置し、中央の縫い目から５．５８８〜８．８９ｃｍ（２．２〜３．５インチ）のところに水平方向に位置する、代替的には、股上１４．４７８〜１７．０１８ｃｍ（５．７〜６．７インチ）のところに垂直方向に位置し、中央の縫い目から６．３５〜７．６２ｃｍ（２．５〜３インチ）のところに水平方向に位置する、中心点を有することができる。例えば、６号サイズのジーンズでは、各臀部の中央区域に関連付けられた相対的に明るいスポットは、股上１１．４３〜１９．０５ｃｍ（４．５〜７．５インチ）のところに概して垂直方向に位置し、中央の縫い目から３．８１〜１１．４３ｃｍ（１．５〜４．５インチ）のところに概して水平方向に位置する、代替的には、股上１２．７〜１７．７８ｃｍ（５〜７インチ）のところに垂直方向に位置し、中央の縫い目から５．０８〜１０．１６ｃｍ（２〜４インチ）のところに水平方向に位置する、代替的には、股上１３．９７〜１６．５１ｃｍ（５．５〜６．５インチ）のところに垂直方向に位置し、中央の縫い目から５．８４２〜８．１２８ｃｍ（２．３〜３．２インチ）のところに水平方向に位置する、代替的には、股上１４．４７８〜１５．４９４ｃｍ（５．７〜６．１インチ）のところに垂直方向に位置し、中央の縫い目から６．３５〜７．６２ｃｍ（２．５〜３インチ）のところに水平方向に位置する、中心点を有することができる。そして、例えば、１４号サイズのジーンズでは、各臀部の中央区域に関連付けられた相対的に明るいスポットは、股上１３．９７〜１９．０５ｃｍ（５．５〜７．５インチ）のところに概して垂直方向に位置し、中央の縫い目から３．８１〜１１．４３ｃｍ（１．５〜４．５インチ）のところに概して水平方向に位置する、代替的には、股上１５．２４〜１７．７８ｃｍ（６〜７インチ）のところに垂直方向に位置し、中央の縫い目から５．０８〜１０．１６ｃｍ（２〜４インチ）のところに水平方向に位置する、代替的には、股上１５．７４８〜１７．２７２ｃｍ（６．２〜６．８インチ）のところに垂直方向に位置し、中央の縫い目から５．５８８〜８．８９ｃｍ（２．２〜３．５インチ）のところに水平方向に位置する、代替的には、股上１６．５１〜１７．２７２ｃｍ（６．５〜６．８インチ）のところに垂直方向に位置し、中央の縫い目から６．８５８〜７．３６６ｃｍ（２．７〜２．９インチ）のところに水平方向に位置する、中心点を有することができる。概して、明るさ勾配は、明るさレベルが、フィニッシュ加工が施される前の衣服の明るさレベルに一致するまで、中心点（または、中心点を囲む区域）から外側に向かって小さくなる。それぞれの明るいスポットの形状は、一様でなくてよいが、球面、楕円、または、非球面とすることができる。明るいスポットは、勾配レベルに応じて、様々な面積を有するであろう。代替的には、それぞれの明るいスポットは、１２９．０３２〜２５８．０６４ｃｍ２（２０〜４０平方インチ）、代替的には、１６１．２９〜２２５．８０６ｃｍ２（２５〜３５平方インチ）の面積を有することができる。
【００２８】
いくつかの実施形態では、臀部下溝に関連付けられた相対的に暗いスポットは、股下１．２７ｃｍ（０．５インチ）〜股上１０．１６ｃｍ（４インチ）のところに概して垂直方向に位置し、中央の縫い目から７．６２〜１６．５１ｃｍ（３〜６．５インチ）のところに概して水平方向に位置する、代替的には、股上０〜７．６２ｃｍ（０〜３インチ）のところに垂直方向に位置し、中央の縫い目から８．８９〜１５．２４ｃｍ（３．５〜６インチ）のところに水平方向に位置する、代替的には、股上２．５４〜６．３５ｃｍ（１〜２．５インチ）のところに垂直方向に位置し、中央の縫い目から１０．１６〜１３．９７ｃｍ（４〜５．５インチ）のところに水平方向に位置する、代替的には、股上３．３０２〜５．８４２ｃｍ（１．３〜２．３インチ）のところに垂直方向に位置し、中央の縫い目から１０．１６〜１２．７ｃｍ（４〜５インチ）のところに水平方向に位置する、中心点を有することができる。例えば、６号サイズのジーンズでは、臀部下溝に関連付けられた相対的に暗いスポットは、股下１．２７ｃｍ（０．５インチ）〜股上６．３５ｃｍ（２．５インチ）のところに概して垂直方向に位置し、中央の縫い目から８．８９〜１６．５１ｃｍ（３．５〜６．５インチ）のところに概して水平方向に位置する、代替的には、股上０〜５．０８ｃｍ（０〜２インチ）のところに垂直方向に位置し、中央の縫い目から１０．１６〜１５．２４ｃｍ（４〜６インチ）のところに水平方向に位置する、代替的には、股上１．２７〜３．８１ｃｍ（０．５〜１．５インチ）のところに垂直方向に位置し、中央の縫い目から１１．４３〜１３．９７ｃｍ（４．５〜５．５インチ）のところに水平方向に位置する、代替的には、股上２．５４〜３．３０２ｃｍ（１〜１．３インチ）のところに垂直方向に位置し、中央の縫い目から１１．９３８〜１３．９７ｃｍ（４．７〜５．５インチ）のところに水平方向に位置する、中心点を有することができる。そして、例えば、１４号サイズのジーンズでは、臀部下溝に関連付けられた相対的に暗いスポットは、股上３．８１〜１０．１６ｃｍ（１．５〜４インチ）のところに概して垂直方向に位置し、中央の縫い目から７．６２〜１５．２４ｃｍ（３〜６インチ）のところに概して水平方向に位置する、代替的には、股上５．０８〜８．８９ｃｍ（２〜３．５インチ）のところに垂直方向に位置し、中央の縫い目から８．８９〜１３．９７ｃｍ（３．５〜５．５インチ）のところに水平方向に位置する、代替的には、股上５．０８〜７．６２ｃｍ（２〜３インチ）のところに垂直方向に位置し、中央の縫い目から１０．１６〜１２．７ｃｍ（４〜５インチ）のところに水平方向に位置する、代替的には、股上５．８４２〜６．８５８ｃｍ（２．３〜２．７インチ）のところに垂直方向に位置し、中央の縫い目から１０．６６８〜１１．９３８ｃｍ（４．２〜４．７インチ）のところに水平方向に位置する、中心点を有することができる。概して、明るさ勾配は、明るさレベルが、フィニッシュ加工が施される前の衣服の明るさレベルに一致するまで、中心点（あるいは、中心点を囲む、または、中心点と連続した区域）から外側に向かって大きくなる。それぞれの暗いスポットの形状は、一様でなくてよいが、概して、細長い不整形の楕円形、または、股から外側に広がる湾曲した凸形とすることができる。暗いスポットは、勾配レベルに応じて、様々な面積を有するであろう。代替的には、それぞれの暗いスポットは、２５．８０６４〜１２９．０３２ｃｍ２（４〜２０平方インチ）、代替的には、３２．２５８〜９６．７７４ｃｍ２（５〜１５平方インチ）、代替的には、３８．７０９６〜７７．４１９２ｃｍ２（６〜１２平方インチ）の面積を有することができる。
【００２９】
いくつかの実施形態では、上裏腿に関連付けられた相対的に明るいスポットは、股下３．８１〜１１．４３ｃｍ（１．５〜４．５インチ）のところに概して垂直方向に位置し、脚の内側の縫い目から１２．７〜２０．３２ｃｍ（５〜８インチ）のところに概して水平方向に位置する、代替的には、股下５．０８〜１０．１６ｃｍ（２〜４インチ）のところに垂直方向に位置し、脚の内側の縫い目から１３．９７〜１９．０５ｃｍ（５．５〜７．５インチ）のところに水平方向に位置する、代替的には、股下５．０８〜７．６２ｃｍ（２〜３インチ）のところに垂直方向に位置し、脚の内側の縫い目から１５．２４〜１７．７８ｃｍ（６〜７インチ）のところに水平方向に位置する、代替的には、股下６．３５〜７．６２ｃｍ（２．５〜３インチ）のところに垂直方向に位置し、脚の内側の縫い目から１５．２４〜１７．２７２ｃｍ（６〜６．８インチ）のところに水平方向に位置する、中心点を有することができる。例えば、６号サイズのジーンズでは、上裏腿に関連付けられた相対的に明るいスポットは、股下３．８１〜８．８９ｃｍ（１．５〜３．５インチ）のところに概して垂直方向に位置し、脚の内側の縫い目から１２．７〜１９．０５ｃｍ（５〜７．５インチ）のところに概して水平方向に位置する、代替的には、股下５．０８〜７．６２ｃｍ（２〜３インチ）のところに垂直方向に位置し、脚の内側の縫い目から１３．９７〜１７．７８ｃｍ（５．５〜７インチ）のところに水平方向に位置する、代替的には、股下５．５８８〜７．１１２ｃｍ（２．２〜２．８インチ）のところに垂直方向に位置し、脚の内側の縫い目から１４．７３２〜１７．０１８ｃｍ（５．８〜６．７インチ）のところに水平方向に位置する、代替的には、股下５．８４２〜６．８５８ｃｍ（２．３〜２．７インチ）のところに垂直方向に位置し、脚の内側の縫い目から１５．２４〜１６．５１ｃｍ（６〜６．５インチ）のところに水平方向に位置する、中心点を有することができる。そして、例えば、１４号サイズのジーンズでは、上裏腿に関連付けられた相対的に明るいスポットは、股下３．８１〜１１．４３ｃｍ（１．５〜４．５インチ）のところに概して垂直方向に位置し、脚の内側の縫い目から１２．７〜２０．３２ｃｍ（５〜８インチ）のところに概して水平方向に位置する、代替的には、股下５．０８〜１０．１６ｃｍ（２〜４インチ）のところに垂直方向に位置し、脚の内側の縫い目から１３．９７〜１８．５４２ｃｍ（５．５〜７．３インチ）のところに水平方向に位置する、代替的には、股下６．３５〜８．８９ｃｍ（２．５〜３．５インチ）のところに垂直方向に位置し、脚の内側の縫い目から１５．２４〜１７．７８ｃｍ（６〜７インチ）のところに水平方向に位置する、代替的には、股下７．１１２〜８．１２８ｃｍ（２．８〜３．２インチ）のところに垂直方向に位置し、脚の内側の縫い目から１６．００２〜１７．５２６ｃｍ（６．３〜６．９インチ）のところに水平方向に位置する、中心点を有することができる。概して、明るさ勾配は、明るさレベルが、フィニッシュ加工が施される前の衣服の明るさレベルに一致するまで、中心点（または、中心点を囲む区域）から外側に向かって小さくなる。それぞれの明るいスポットの形状は、一様でなくてよいが、概して、細長い整形または不整形の（あるいは、部分的に整形または不整形の）楕円形とすることができる。明るいスポットは、勾配レベルに応じて、様々な面積を有するであろう。代替的には、それぞれの明るいスポットは、１２９．０３２〜５１６．１２８ｃｍ２（２０〜８０平方インチ）、代替的には、１２９．０３２〜３２２．５８ｃｍ２（２０〜５０平方インチ）、代替的には、１６１．２９〜２５８．０６４ｃｍ２（２５〜４０平方インチ）の面積を有することができる。
【００３０】
明るいスポットの明るさの大きさ、および、明るいスポットと暗いスポットとのコントラストの度合いは、一様でなくてもよい。ジーンズおよび他の衣服上の明るいスポットの明るさの大きさは、分光放射計の使用を通じて計測され得る。非限定的な例として、通常室内の蛍光灯下で分光放射計により計測された、本明細書に記載の衣服上の明るいスポットの明るさのピーク値は、２．５〜６ｃｄ／ｍ２の範囲とすることができ、代替的には、２．８〜５ｃｄ／ｍ２、代替的には、３〜４ｃｄ／ｍ２の範囲にわたる。
【００３１】
図１７は、本発明に従って、レーザー加工によって人体模型に基づき濃淡付けされた、６号サイズの女性用ジーンズの背面のデジタル写真である。デジタル画像は、各臀部の中央区域に関連付けられた相対的に明るいスポット（図１７の点Ａおよび点Ｂ）の場所、臀部下溝に関連付けられた相対的に暗いスポット（図１７の点Ｃおよび点Ｄ）の場所、および、上裏腿に関連付けられた相対的に明るいスポット（図１７の点Ｅおよび点Ｆ）の場所を判定するために分析された。表１は、写真のデジタル分析、および、実物のジーンズ上で行われた分光放射計による読み取りから得られた値を一覧表示する。１列目は、画像上の各点の（ｘ，ｙ）座標を一覧表示する。２列目は、各点のデジタル明るさ値を一覧で示し、値ゼロは黒であり、値１は最大明るさである。３列目は、中央の縫い目の左縁から（上裏腿の股下の縫い目（ｉｎｓｅａｍ）から）各点までのおよその水平距離をインチで一覧表示する。４列目は、股の高さ（ジーンズの股下の縫い目の頂部）から各点までのおよその垂直距離をインチで一覧表示する。５列目は、通常室内の蛍光灯下でＰｈｏｔｏＲｅｓｅａｒｃｈ社のＳｐｅｃｔｒａＳｃａｎＰＲ６７０により測定された各点の輝度を単位「ｃｄ／ｍ２」で一覧表示する。
【００３２】
【表１】
2019108652.tif 000003
【００３３】
図１８は、本発明に従って、レーザー加工によって人体模型に基づき濃淡付けされた、１４号サイズの女性用ジーンズの背面のデジタル写真である。デジタル画像は、各臀部の中央区域に関連付けられた相対的に明るいスポット（図１８の点Ａおよび点Ｂ）の場所、臀部下溝に関連付けられた相対的に暗いスポット（図１８の点Ｃおよび点Ｄ）の場所、および、上裏腿に関連付けられた相対的に明るいスポット（図１８の点Ｅおよび点Ｆ）の場所を判定するために分析された。表２は、写真のデジタル分析、および、ジーンズそれ自体上で行われた分光放射計による読み取りから得られた値を一覧表示する。表の列は、表１について説明したものと同じ情報を含む。
【００３４】
【表２】
2019108652.tif 000004
【００３５】
被験者が、従来のジーンズのフィニッシュ加工よりも、人体模型に基づく濃淡を付けたフィニッシュ加工を本当に好むのかどうかを検証するために、さらなる実験が実施された。各試験では、被験者には、ＶＦ  Ｃｏｒｐｏｒａｔｉｏｎにより作製された標準的なフィニッシュ加工を有するジーンズと、人体模型に基づく濃淡を付けたフィニッシュ加工を有する同じジーンズが呈示された。被験者には、どちらのフィニッシュ加工がより魅力的であるか、また、どのぐらい魅力的なのか、スライダーを用いて示すことが課された。７種類の異なるスタイルのジーンズにわたったこの実験によるデータが、図１６に示される。水平軸よりも上にある棒は、人体模型に基づく濃淡が選好されていることを示す。ｙ軸は、いずれの方向にも０から１００の範囲で選好を示す。図１６から認識可能なように、従来のフィニッシュ加工よりも、人体模型に基づく濃淡を付けたフィニッシュ加工が好まれることは確かであった。
【００３６】
上述したように、明るさ勾配を含む人体模型に基づく濃淡は、ジーンズの臀部および裏腿以外の領域にも施され得る。例えば、人体模型に基づく濃淡は、ジーンズのふくらはぎ、および、大腿の前面に、身体のそれらの領域の理想的な体形比率を模倣するために施され得る。なお、上記の説明はジーンズに焦点が置かれていたが、人体模型に基づく濃淡は、他のパンツ、ならびに、下着、半ズボン、およびシャツを含み得る他の衣服にも施され得る。さらに、女性用の衣服についての適用事例を詳細に論じてきたが、理想的な男性の体形比率を模倣する人体模型に基づく濃淡が、同様の仕方で男性用衣服に施され得る。
【図１】
2019108652.tif 000005
【図２】
2019108652.tif 000006
【図３】
2019108652.tif 000007
【図４】
2019108652.tif 000008
【図５】
2019108652.tif 000009
【図６】
2019108652.tif 000010
【図７】
2019108652.tif 000011
【図８】
2019108652.tif 000012
【図９】
2019108652.tif 000013
【図１０】
2019108652.tif 000014
【図１１】
2019108652.tif 000015
【図１２】
2019108652.tif 000016
【図１３】
2019108652.tif 000017
【図１４】
2019108652.tif 000018
【図１５】
2019108652.tif 000019
【図１６】
2019108652.tif 000020
【図１７】
2019108652.tif 000021
【図１８】
2019108652.tif 000022
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
第１の体形に関連する第１の比率と外形とを有する３次元アバターを使用して、当該第１の比率と外形のうちの少なくとも部分を模倣する明るさ勾配を作成するステップと、
前記第１の体形の印象を観察者に与える前記勾配に基づき、衣服上に模様を形成するステップとを含む、人体模型に基づく濃淡を衣服上に施すための方法。
【請求項２】
前記明るさ勾配を作成するステップが、３次元明るさ勾配を作成するステップを含む、請求項１に記載の方法。
【請求項３】
前記３次元明るさ勾配を作成するステップが、理想的な体形比率を有する３次元アバターを作成するステップを含む、請求項２に記載の方法。
【請求項４】
前記３次元明るさ勾配を作成するステップが、前記３次元アバターに照明を当て、前記アバターの外形を強調する陰影を前記アバター上に形成するステップをさらに含む、請求項３に記載の方法。
【請求項５】
前記模様を形成するステップが、前記３次元明るさ勾配から２次元テンプレートを生成するステップと、前記テンプレートを使用して前記模様を形成するステップとを含む、請求項４に記載の方法。
【請求項６】
前記模様を形成するステップが、ジーンズ上に前記模様を形成するステップを含む、請求項１に記載の方法。
【請求項７】
前記ジーンズ上に模様を形成するステップが、レーザー加工により前記模様を形成するステップを含む、請求項６に記載の方法。
【手続補正２】
【補正対象書類名】明細書
【補正対象項目名】００３６
【補正方法】変更
【補正の内容】
【００３６】
上述したように、明るさ勾配を含む人体模型に基づく濃淡は、ジーンズの臀部および裏腿以外の領域にも施され得る。例えば、人体模型に基づく濃淡は、ジーンズのふくらはぎ、および、大腿の前面に、身体のそれらの領域の理想的な体形比率を模倣するために施され得る。なお、上記の説明はジーンズに焦点が置かれていたが、人体模型に基づく濃淡は、他のパンツ、ならびに、下着、半ズボン、およびシャツを含み得る他の衣服にも施され得る。さらに、女性用の衣服についての適用事例を詳細に論じてきたが、理想的な男性の体形比率を模倣する人体模型に基づく濃淡が、同様の仕方で男性用衣服に施され得る。
〔態様１〕
衣服の基材と、
理想的な体形比率の印象を観察者に与えるように、前記理想的な体形比率を有する身体の外形を模倣した、前記基材上に形成された模様と
を備える、衣服。
〔態様２〕
前記衣服がパンツである、態様１に記載の衣服。
〔態様３〕
前記衣服がジーンズである、態様１に記載の衣服。
〔態様４〕
前記模様が、前記基材の表面に広がる明るさ勾配を形成する、態様１に記載の衣服。
〔態様５〕
前記明るさ勾配が、前記理想的な体形比率を有する身体の高い部分に関連付けられた相対的に明るいスポットと、前記理想的な体形比率を有する身体の低い部分に関連付けられた相対的に暗いスポットとを備える、態様４に記載の衣服。
〔態様６〕
前記衣服がパンツであり、前記明るさ勾配が前記理想的な体形比率を有する身体の臀部の中央区域に関連付けられた相対的に明るいスポットを備える、態様４に記載の衣服。
〔態様７〕
前記明るさ勾配が、前記理想的な体形比率を有する身体の臀部下溝に関連付けられた相対的に暗いスポットをさらに備える、態様６に記載の衣服。
〔態様８〕
前記明るさ勾配が、前記理想的な体形比率を有する身体のＶ字形のしわに関連付けられた相対的に暗いスポットをさらに備える、態様７に記載の衣服。
〔態様９〕
真正面にいる観察者に正対する前記衣服上の地点では、前記明るさ勾配が相対的に明るいスポットを有する、態様４に記載の衣服。
〔態様１０〕
前記正対方向から離れる角度が大きくなるにつれて、前記明るさ勾配の明るさが小さくなる、態様９に記載の衣服。
〔態様１１〕
前記正対方向から離れる角度が大きくなるにつれて、前記明るさ勾配の前記明るさが余弦関数として小さくなる、態様１０に記載の衣服。
〔態様１２〕
臀部区域を有するデニムの基材と、
理想的な体形比率の印象を観察者に与えるように前記理想的な体形比率を有する臀部の外形を模倣し、前記臀部区域上に形成された模様であって、前記基材の表面に広がる明るさ勾配を形成し、前記勾配が、前記理想的な体形比率を有する臀部の中央区域に関連付けられた相対的に明るいスポットと、前記理想的な体形比率を有する臀部の臀部下溝に関連付けられた相対的に暗いスポットとを備える、模様と
を備える、ジーンズ。
〔態様１３〕
前記明るさ勾配が、前記理想的な体形比率を有する臀部のＶ字形のしわに関連付けられた相対的に暗いスポットをさらに備える、態様１２に記載のジーンズ。
〔態様１４〕
理想的な体形比率を有する身体の要素の外形を模倣する明るさ勾配を作成するステップと、
前記理想的な体形比率の印象を観察者に与える前記勾配に基づき、衣服上に模様を形成するステップとを含む、人体模型に基づく濃淡を衣服上に施すための方法。
〔態様１５〕
前記明るさ勾配を作成するステップが、３次元明るさ勾配を作成するステップを含む、態様１４に記載の方法。
〔態様１６〕
前記３次元明るさ勾配を作成するステップが、理想的な体形比率を有する３次元アバターを作成するステップを含む、態様１５に記載の方法。
〔態様１７〕
前記３次元明るさ勾配を作成するステップが、前記３次元アバターに照明を当て、前記アバターの外形を強調する陰影を前記アバター上に形成するステップをさらに含む、態様１６に記載の方法。
〔態様１８〕
前記模様を形成するステップが、前記３次元明るさ勾配から２次元テンプレートを生成するステップと、前記テンプレートを使用して前記模様を形成するステップとを含む、態様１７に記載の方法。
〔態様１９〕
前記模様を形成するステップが、ジーンズ上に前記模様を形成するステップを含む、態様１４に記載の方法。
〔態様２０〕
前記ジーンズ上に模様を形成するステップが、レーザー加工により前記模様を形成するステップを含む、態様１９に記載の方法。
【外国語明細書】
2019108652000001.pdf